(57)【要約】【課題】  日常生活の中で容易に使用でき、簡易かつ低廉な腰痛予防軽減装置を提供する。【解決手段】  ユーザＵの腹部Ｈに巻き付けられるベルト２と、このベルト２が取り付けられ、下端３ａが椅子Ｃの座面Ｚに着座される突っ張り部材３とを備え、ユーザＵが椅子Ｃに着座したとき、突っ張り部材３によりベルト２を介してユーザＵの腹部Ｈを上方に持ち上げるようにしたことを特徴とする腰痛予防軽減装置１。ユーザＵの腹部Ｈより下の部分が尻Ａの重量により引っ張られて腰Ｋが伸びる。【選択図】  図１
2006187574.tif 000002
【特許請求の範囲】
【請求項１】
ユーザの腹部に巻き付けられるベルトと、該ベルトが取り付けられ、下端が椅子の座面に着座される突っ張り部材とを備え、前記ユーザが前記椅子に着座したとき、前記突っ張り部材により前記ベルトを介して前記ユーザの腹部を持ち上げるように構成したことを特徴とする腰痛予防軽減装置。
【発明の詳細な説明】
【技術分野】
【０００１】  本発明は腰痛予防軽減装置に係り、特に、椅子への着座と同時に腰痛の予防ないし軽減を行える簡易な構造の腰痛予防軽減装置に関する。
【背景技術】
【０００２】  現代人にとって腰痛対策は永遠のテーマであり、多くの人が腰痛に悩まされている。しかも、仕事をしている社会人は、昼間の病院に行く時間をなかなかとれず、たとえ病院に行けたとしても長い待ち時間に嫌気がさし、むしろ業務の支障とすら感じてしまう。【０００３】  こうした現状において、通常の仕事の最中あるいは日常の生活の中で腰痛予防や腰痛治療が行えれば便利である。このような装置として特許文献１，２に開示されたものがあるが、いずれも大掛かりで装置が複雑・高価にすぎ、病院のような多額の投資を行える施設では問題ないかもしれないが、個人レベルで所有するにはあまりに高価で場所もとり、がさばる。
【特許文献１】特開平１０−１５５８４８号公報
【特許文献２】特開平１１−２２１２５７号公報
【発明の開示】
【発明が解決しようとする課題】
【０００５】  そこで、本発明は以上の事情に鑑みて創案され、その目的は日常生活の中で容易に使用でき、簡易かつ低廉な腰痛予防軽減装置を提供することにある。
【課題を解決するための手段】
【０００６】  上記目的を達成するための本発明の一形態に係る腰痛予防軽減装置は、ユーザの腹部に巻き付けられるベルトと、該ベルトが取り付けられ、下端が椅子の座面に着座される突っ張り部材とを備え、前記ユーザが前記椅子に着座したとき、前記突っ張り部材により前記ベルトを介して前記ユーザの腹部を持ち上げるように構成したことを特徴とする。【０００７】  好ましくは、前記ベルトが前記突っ張り部材に高さ位置調節可能に取り付けられる。好ましくは、前記ベルトが前記突っ張り部材に着脱自在に固着される。好ましくは、前記固着のための固着部材が面ファスナーからなる。好ましくは、前記突っ張り部材が板材からなる。好ましくは、前記突っ張り部材の下端に、前記椅子の座面への着座を安定させるための突出部が設けられる。好ましくは、前記ベルトが弾性的に伸縮可能である。好ましくは、前記ベルトの周長が無段階で調節可能である。好ましくは、前記ベルトの両端部を接続するための接続部材が面ファスナーからなる。好ましくは、前記ユーザの背面に位置される前記ベルトの部分の表面が前記突っ張り部材に固着される。好ましくは、前記突っ張り部材が、前記ユーザの背面に沿って高さ方向に延出する。好ましくは、前記ベルトが、少なくとも前記ユーザの背面に当たる部分にクッションを有する。
【発明の効果】
【０００８】  本発明によれば、日常生活の中で容易に使用でき、簡易かつ低廉な腰痛予防軽減装置を提供することができる。
【発明を実施するための最良の形態】
【０００９】  以下、本発明の好適一実施形態を添付図面に基づいて説明する。【００１０】  図１に本実施形態の腰痛予防軽減装置を示す。図示されるように腰痛予防軽減装置１は、ユーザＵの腹部Ｈに巻き付けられるベルト２と、このベルト２が取り付けられ、下端３ａが椅子Ｃの座面Ｚに着座される突っ張り部材３とから主に構成されている。【００１１】  図２及び図３に示すように、本実施形態のベルト２は、ゴムなどの弾性部材により作られ、弾性的に伸縮可能である。そしてベルト２は、ユーザの腹部の周長に合わせるべくベルト周長が無段偕に調節可能となっている。たとえば、ベルト２の両端部４，５が任意の位置で互いに着脱自在に接続可能となっている。本実施形態では、ベルト２の両端部４，５に、無数のナイロン製などの鉤と輪で構成された接続部材としての面ファスナー６（たとえばマジックテープ（登録商標））が設けられる。面ファスナー６のうち無数の鉤を持つ鉤面部７が一方の端部４の表面に、面ファスナー６のうち無数の輪を持つ輪面部８が他方の端部５の裏面に、それぞれ形成されている。ただしこれらは逆でも良い。ベルト２は、ユーザの腹部にできるだけ広く安定してしっかりと巻きつけられるのが好ましい。またこうすることでベルト２にコルセットの機能を与えるこどができる。従って本実施形態のベルト２は比較的幅広で弾性伸縮可能である。そしてベルト２の両端部４，５は幅方向ないし上下に複数（本実施形態では２つ）に分割される。ベルト２の裏面には感触を和らげるためのクッション９が設けられている。このようなクッションはベルトの裏面ほぼ全体に設けられてもよいし、部分的（特にユーザの背面部に対応する部位）に設けられてもよい。【００１２】  図４に示すように、突っ張り部材３は、棒などで構成することもできるが、本実施形態のように板状の部材で構成するのが好ましい。たとえば木板、樹脂またはプラスチック板、金属板などが使用可能である。本実施形態では単純な平板が用いられるが、人の背面や椅子の背もたれ面の形状に合わせて適宜曲面を形成してもよい。突っ張り部材３の下端３ａは、本実施形態では平板の断面からなる。しかしながら椅子の座面への着座を安定させるため仮想線で示すような水平方向の突出部１３を設けてもよい。【００１３】  ベルト２は、突っ張り部材３に対し、突っ張り部材３の任意の高さ位置で着脱自在に固着可能である。この固着部における固着部材も先と同様の面ファスナー１０から構成され、本実施形態では鉤面部１２が、ユーザＵの背面Ｈに位置されるベルト２の部分２ａ（ベルト２の中央部）の表面に形成され、輪面部１１が突っ張り部材３の下端３ａより上方の所定高さ範囲に渡って形成されている。この構成によりベルト２は突っ張り部材３に高さ位置調節可能に着脱自在に固着されることになる。なお鉤面部１２を突っ張り部材３に、輪面部１１をベルト２に形成しても良い。【００１４】  こうして、ユーザＵの背面Ｈに位置されるベルト２の部分２ａの表面が、突っ張り部材３の表面に固着されることとなる。また、固着状態の突っ張り部材３は、ユーザＵの背面Ｈに沿って高さ方向に延出することとなる。【００１５】  さて、使用に際しては、図１に示すように、ベルト２をユーザ���の腹部Ｈにぴったりと密着するよう巻き付け、両端部４，５同士を固着する。そして突っ張り部材３の下端３ａを椅子Ｃの座面Ｚに着座させつつ、突っ張り部材３を、輪面部１１のある面を表ないし手前にして椅子Ｃの背もたれＳに立て掛ける。その後ユーザＵは、椅子Ｃの座面Ｚに一旦座った後、若干腰を浮かせ、後ろに寄りかかってベルト２の鉤面部１２を突っ張り部材３の輪面部１１に押しつける。これによりベルト２と突っ張り部材３とが固着され、この状態でユーザＵが再度椅子Ｃの座面Ｚに座ろうとすると、突っ張り部材３が突っ張ってベルト２を介してユーザＵの腹部を持ち上げるようになる。ユーザＵの尻Ａは椅子Ｃの座面Ｚに完全に着座できない（つまりユーザは完全に座れない）。ユーザＵの尻Ａは、完全に座ったときよりも若干浮き上がった状態となり、座面Ｚに弱く密着するか、極端には接触しない。なおこうしても、たいていは太股が座面Ｚに着いているし、ユーザＵの両足は床についているので、ユーザの安定は保たれる。突っ張り部材３はユーザＵと椅子Ｃの背もたれＳとの間に挟まれて安定している。【００１６】  このとき、突っ張り部材３の下端３ａからベルト２の固着位置（ベルト２の鉤面部１２の高さ中心）までの高さ方向の距離は、ユーザＵの腹部Ｈを上方に持ち上げる（或いは付勢する）ような距離となる。ベルト２はユーザＵの腹部Ｈのちょうどあばら骨の下に若干食い込み、あばら骨に引っ掛かってユーザＵの腹部Ｈを持ち上げる。【００１７】  かかる使用状態では、ユーザＵが腹部Ｈで支えられ、椅子Ｃに完全に座らないようになるため、腰部Ｋが、それより下の尻Ａの体重で引っ張られるようになる。このようにユーザＵは座っているだけで腰部Ｋが引っ張られる。また姿勢も良くなる。またユーザＵが腹部Ｈで支えられるために腰部Ｋにかかる負担ないし重さが軽減され、腰部Ｋを下に押し潰すようなことが抑制される。このようにユーザＵは椅子に座るだけで腰痛の予防、軽減、治療を行うことができる。ユーザＵの尻Ａが座面Ｚに着いていたとしても、その着座は弱く、尻Ａの重量の少なくとも一部は腰部Ｋの牽引に利用することができ、効果がある。たとえば、車の乗車中、オフィスでの仕事中、酒を飲んでいるとき、自宅でテレビを見ているときなど、多様な日常生活の中で容易に腰痛対策を行うことができ、極めて便利である。この効果は発明者による試作試験からも確認された。【００１８】  また、上述のように極めて簡単な装置構成であり、低廉で、場所もとらない。小型軽量なので持ち運びも可能だし、女性やお年寄りなどにも容易に扱える。【００１９】  前記構成において、ベルト２は、タイト感が和らげられる程度に伸縮可能であるのが好ましく、あばら骨の下の腹部Ｈの形状（くびれ形状や出っ張り形状など）に倣うことができる程度に伸縮可能であるのが好ましく、しかしながら体重を支えたとき伸び過ぎない程度に伸縮可能であるのが好ましい。しかしながらベルト２は伸縮できなくてもよい。【００２０】  なお、特許文献２には患者の肋骨下部付近を固定して座面を下降させることにより腰や背中を伸ばす装置が開示されているが、本発明は椅子の座面で突っ張って腹部を持ち上げる点で、装置本体側で椅子とは独立して患者の肋骨下部付近を支持する特許文献２記載の装置とは異なり、またそれから容易に想到できるものでもない。【００２１】  本発明の実施形態は他にもさまざま考えられる。たとえば、ベルトを巻き付けた後さらに締め付けたり緩めたりしてベルトの周長を再調節する手段を設けると、便利である。また、ベルトに財布や携帯電話などを入れるポケットを設けたり、突っ張り部材を椅子の背もたれに取り付けるための取付手段（ゴムバンドなど）を設けることも可能である。本発明の腰痛予防軽減装置は背もたれのない椅子にも適用できる。本発明は前記実施形態に限定されるように解釈すべきではなく、特許請求の範囲に規定された発明の範囲内で様々な変形応用が可能であり、均等物をもカバーするものと解釈すべきである。
【図面の簡単な説明】
【００２２】
【図１】  本発明に係る腰痛予防軽減装置の使用状態を示す側面図である。
【図２】  ベルトの正面斜視図である。
【図３】  ベルトの背面斜視図である。
【図４】  突っ張り部材の正面斜視図である。
【符号の説明】
【００２３】  １  腰痛予防軽減装置
２  ベルト
３  突っ張り部材
３ａ  下端
Ｕ  ユーザ
Ｈ  腹部
Ｃ  椅子
Ｚ  座面
Ａ  尻
Ｋ  腰
【図１】
2006187574.tif 000003
【図２】
2006187574.tif 000004
【図３】
2006187574.tif 000005
【図４】
2006187574.tif 000006